(57)【特許請求の範囲】
【請求項１】
ユーザ機器（ＵＥ）による無線通信の方法であって、
前記ＵＥによって受信のために使用されるアンテナの数に対応する０本以上のアンテナからなる少なくとも第１のセットから、０本以上のアンテナからなる少なくとも１つの第２のセットへの切替をスケジューリングすることと、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定することと、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として前記アンテナセットのアンテナの数が１本以上である場合に決定される、
前記ＣＱＩを前記基地局に送信することと
を備える方法。
【請求項２】
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成される前記第１のＲＡＴのための少なくとも１本の追加のアンテナを備える、請求項１に記載の方法。
【請求項３】
前記第２のセットは、前記第１のセットよりも１本以上少ない数のアンテナを備える、請求項１に記載の方法。
【請求項４】
前記報告されたＣＱＩに対応する前記ＣＱＩサブフレームセットを定義することをさらに備え、前記ＣＱＩサブフレームセットの長さは、前記基地局でのＣＱＩ受信インターバルに対応する、請求項１に記載の方法。
【請求項５】
前記基地局での前記ＣＱＩ受信インターバルは、前記ＵＥから２つの連続したＣＱＩ報告を受信する間の時間期間である、請求項４に記載の方法。
【請求項６】
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、請求項１に記載の方法。
【請求項７】
前記フィードバック時間遅延は、前記基地局への送信時間、前記基地局で前記ＣＱＩを復号するための時間、および、前記基地局で前記ＣＱＩに基づいてレートを調節するための時間を備える、請求項６に記載の方法。
【請求項８】
前記ＵＥは、前記フィードバック時間遅延を、前記ＣＱＩの送信の時間と、前記基地局から受信されたデータの変調およびコード化スキーム（ＭＣＳ）が大幅に変化する時間とに基づいて決定する、請求項６に記載の方法。
【請求項９】
前記ＵＥは、前記フィードバック時間遅延に対して一定の定数を使用する、請求項６に記載の方法。
【請求項１０】
前記ＵＥから報告されるべき前記ＣＱＩは、前記ＣＱＩサブフレームセットの間使用される各アンテナセットについての前記ＣＱＩと、前記アンテナセットが使用される前記ＣＱＩサブフレームセット内のサブフレームの数との組み合わせの関数として決定される、請求項１に記載の方法。
【請求項１１】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、請求項１０に記載の方法。
【請求項１２】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、請求項１０に記載の方法。
【請求項１３】
前記ＵＥから報告されるべき前記ＣＱＩは、前記ＣＱＩサブフレームセットの間使用される各アンテナセットについてのＣＱＩの最小値である、請求項１に記載の方法。
【請求項１４】
前記ＵＥから報告されるべき前記ＣＱＩは、前記ＣＱＩサブフレームセットの間使用される各アンテナセットについてのＣＱＩの最大値である、請求項１に記載の方法。
【請求項１５】
前記ＵＥから報告されるべき前記ＣＱＩは、前記ＣＱＩサブフレームセットの間使用される各アンテナセットについてのＣＱＩの平均値である、請求項１に記載の方法。
【請求項１６】
前記ＣＱＩは、前記ＵＥと前記基地局との間のトラフィックのサービス品質（ＱＯＳ）の関数として決定される、請求項１に記載の方法。
【請求項１７】
前記ＣＱＩは、以前のＣＱＩ決定からの記憶されたＣＱＩ値を備える、請求項１に記載の方法。
【請求項１８】
前記ＣＱＩは、以前のＣＱＩ決定からの記憶されたＣＱＩ値プラスオフセットを備える、請求項１に記載の方法。
【請求項１９】
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、請求項１に記載の方法。
【請求項２０】
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、請求項１に記載の方法。
【請求項２１】
前記基地局で適用されるバックオフを補償するために前記ＣＱＩを調整することをさらに備える、請求項１に記載の方法。
【請求項２２】
前記ＣＱＩを調整することは、
前記第１のセット内のアンテナの数が前記０本以上のアンテナからなる少なくとも１つの第２のセット内のものよりも少ない場合、前記ＣＱＩをより高いＣＱＩ値へと調整することを備える、請求項２１に記載の方法。
【請求項２３】
前記ＣＱＩを調整することは、
前記第１のセット内のアンテナの数が前記０本以上のアンテナからなる少なくとも１つの第２のセット内のものよりも多い場合、前記ＣＱＩをより低いＣＱＩ値へと調整することを備える、請求項２１に記載の方法。
【請求項２４】
性能全体を最適化するために、ＣＱＩ報告期間またはＣＱＩサブフレームセットのうちの少なくとも１つと揃うように、前記アンテナの前記切替をスケジューリングすることをさらに備える、請求項１に記載の方法。
【請求項２５】
前記ＵＥが、前記ＣＱＩサブフレームセットの間、１本以上のアンテナからなる１つのセットだけを使用するように、前記アンテナの前記切替をスケジューリングすることをさらに備える、請求項２４に記載の方法。
【請求項２６】
前記第１のＲＡＴは、ロングタームエボリューション（ＬＴＥ）を備える、請求項２に記載の方法。
【請求項２７】
前記第２のＲＡＴは、無線ローカルエリアネットワーク（ＷＬＡＮ）を備える、請求項２６に記載の方法。
【請求項２８】
特定の基準を最適化するために、デューティサイクルと併せて、前記ＵＥにおける前記０本以上のアンテナからなる少なくとも１つの第２のセットを選択することをさらに備える、請求項１に記載の方法。
【請求項２９】
前記基準は、少なくとも第１および第２の無線アクセス技術（ＲＡＴ）についてスループットの最小値を最大にすることを備える、請求項２８に記載の方法。
【請求項３０】
前記基準は、少なくとも第１および第２の無線アクセス技術（ＲＡＴ）についてスループットの合計を最大にすることを備える、請求項２８に記載の方法。
【請求項３１】
特定のＲＡＴに割り振られたアンテナセットは、前記ＲＡＴのトラフィックのタイプに部分的に基づく、請求項１に記載の方法。
【請求項３２】
ロングタームエボリューション（ＬＴＥ）に使用されているアンテナについての前記第２のＲＡＴ上での測定は、物理ダウンリンク制御チャネル（ＰＤＣＣＨ）がひとつも復号されないサブフレームの物理ダウンリンク共有チャネル（ＰＤＳＣＨ）部分で実行される、請求項２に記載の方法。
【請求項３３】
ユーザ機器（ＵＥ）による無線通信のための装置であって、
前記ＵＥによって受信のために使用されるアンテナの数に対応する０本以上のアンテナからなる少なくとも第１のセットから０本以上のアンテナからなる少なくとも１つの第２のセットへの切替をスケジューリングするための手段と、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定するための手段と、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として、前記アンテナセットのアンテナの数が１本以上である場合に決定される、
前記ＣＱＩを前記基地局に送信するための手段と
を備える装置。
【請求項３４】
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成される前記第１のＲＡＴのための少なくとも１本の追加のアンテナを備える、請求項３３に記載の装置。
【請求項３５】
前記第２のセットは、前記第１のセットよりも１本以上少ない数のアンテナを備える、請求項３３に記載の装置。
【請求項３６】
前記報告されたＣＱＩに対応する前記ＣＱＩサブフレームセットを定義するための手段をさらに備え、前記ＣＱＩサブフレームセットの長さは、前記基地局でのＣＱＩ受信インターバルに対応する、請求項３３に記載の装置。
【請求項３７】
前記基地局での前記ＣＱＩ受信インターバルは、前記ＵＥから２つの連続したＣＱＩ報告を受信する間の時間期間である、請求項３６に記載の装置。
【請求項３８】
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、請求項３３に記載の装置。
【請求項３９】
前記フィードバック時間遅延は、前記基地局への送信時間、前記基地局で前記ＣＱＩを復号するための時間、および前記基地局で前記ＣＱＩに基づいてレートを調節するための時間を備える、請求項３８に記載の装置。
【請求項４０】
前記ＵＥは、前記フィードバック時間遅延を、前記ＣＱＩの送信の時間と、前記基地局から受信されたデータの変調およびコード化スキーム（ＭＣＳ）が大幅に変化する時間とに基づいて決定する、請求項３８に記載の装置。
【請求項４１】
前記ＵＥは、前記フィードバック時間遅延に対して一定の定数を使用する、請求項３８に記載の装置。
【請求項４２】
前記ＵＥから報告されるべき前記ＣＱＩは、前記ＣＱＩサブフレームセットの間使用される各アンテナセットについての前記ＣＱＩと、前記アンテナセットが使用される前記ＣＱＩサブフレームセット内のサブフレームの数との組み合わせの関数として決定される、請求項３３に記載の装置。
【請求項４３】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、請求項４２に記載の装置。
【請求項４４】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、請求項４２に記載の装置。
【請求項４５】
前記ＵＥから報告されるべき前記ＣＱＩは、前記ＣＱＩサブフレームセットの間使用される各アンテナセットについてのＣＱＩの最小値である、請求項３３に記載の装置。
【請求項４６】
前記ＵＥから報告されるべき前記ＣＱＩは、前記ＣＱＩサブフレームセットの間使用される各アンテナセットについてのＣＱＩの最大値である、請求項３３に記載の装置。
【請求項４７】
前記ＵＥから報告されるべき前記ＣＱＩは、前記ＣＱＩサブフレームセットの間使用される各アンテナセットについてのＣＱＩの平均値である、請求項３３に記載の装置。
【請求項４８】
前記ＣＱＩは、前記ＵＥと前記基地局との間のトラフィックのサービス品質（ＱＯＳ）の関数として決定される、請求項３３に記載の装置。
【請求項４９】
前記ＣＱＩは、以前のＣＱＩ決定からの記憶されたＣＱＩ値を備える、請求項３３に記載の装置。
【請求項５０】
前記ＣＱＩは、以前のＣＱＩ決定からの記憶されたＣＱＩ値プラスオフセットを備える、請求項３３に記載の装置。
【請求項５１】
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、請求項３３に記載の装置。
【請求項５２】
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、請求項３３に記載の装置。
【請求項５３】
前記基地局で適用されるバックオフを補償するために前記ＣＱＩを調整するための手段
をさらに備える、請求項３３に記載の装置。
【請求項５４】
前記ＣＱＩを調整するための手段は、
前記第１のセット内のアンテナの数が前記０本以上のアンテナからなる少なくとも１つの第２のセット内のものよりも少ない場合、前記ＣＱＩをより高いＣＱＩ値へと調整する  ように構成される、請求項５３に記載の装置。
【請求項５５】
前記ＣＱＩを調整するための手段は、
前記第１のセット内のアンテナの数が前記０本以上のアンテナからなる少なくとも１つの第２のセット内のものよりも多い場合、前記ＣＱＩをより低いＣＱＩ値へと調整するように構成される、請求項５３に記載の装置。
【請求項５６】
性能全体を最適化するために、ＣＱＩ報告期間またはＣＱＩサブフレームセットのうちの少なくとも１つと揃うように前記アンテナの前記切替をスケジューリングするための手段をさらに備える、請求項３３に記載の装置。
【請求項５７】
前記ＵＥが、前記ＣＱＩサブフレームセットの間、１本以上のアンテナからなる１つのセットだけを使用するように、前記アンテナの前記切替をスケジューリングすることをさらに備える、請求項５６に記載の装置。
【請求項５８】
前記第１のＲＡＴは、ロングタームエボリューション（ＬＴＥ）を備える、請求項３４に記載の装置。
【請求項５９】
前記第２のＲＡＴは、無線ローカルエリアネットワーク（ＷＬＡＮ）を備える、請求項５８に記載の装置。
【請求項６０】
特定の基準を最適化するために、デューティサイクルと併せて、前記ＵＥにおける前記０本以上のアンテナからなる少なくとも１つの第２のセットを選択するための手段をさらに備える、請求項３３に記載の装置。
【請求項６１】
前記基準は、少なくとも第１および第２の無線アクセス技術（ＲＡＴ）についてスループットの最小値を最大にすることを備える、請求項６０に記載の装置。
【請求項６２】
前記基準は、少なくとも第１および第２の無線アクセス技術（ＲＡＴ）についてスループットの合計を最大にすることを備える、請求項６０に記載の装置。
【請求項６３】
特定のＲＡＴに割り振られたアンテナセットは、前記ＲＡＴのトラフィックのタイプに部分的に基づく、請求項３３に記載の装置。
【請求項６４】
ロングタームエボリューション（ＬＴＥ）に使用されているアンテナについての前記第２のＲＡＴ上での測定は、物理ダウンリンク制御チャネル（ＰＤＣＣＨ）がひとつも復号されないサブフレームの物理ダウンリンク共有チャネル（ＰＤＳＣＨ）部分で行われる、請求項３４に記載の装置。
【請求項６５】
ユーザ機器（ＵＥ）による無線通信のための装置であって、
前記ＵＥによって受信のために使用されるアンテナの数に対応する０本以上のアンテナからなる少なくとも第１のセットから０本以上のアンテナからなる少なくとも１つの第２のセットへの切替をスケジューリングすることと、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定することと、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として、前記アンテナセットのアンテナの数が１本以上である場合に決定される、
前記ＣＱＩを前記基地局に送信することと
を行うように構成された少なくとも１つのプロセッサと、
前記少なくとも１つのプロセッサに結合されたメモリと
を備える装置。
【請求項６６】
ユーザ機器（ＵＥ）による無線通信のためのコンピュータ可読記憶媒体であって、
前記ＵＥによって受信のために使用されるアンテナの数に対応する０本以上のアンテナからなる少なくとも第１のセットから０本以上のアンテナからなる少なくとも１つの第２のセットへの切替をスケジューリングし、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定し、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として、前記アンテナセットのアンテナの数が１本以上である場合に決定される、
前記ＣＱＩを前記基地局に送信するためのコードを備える、コンピュータ可読記憶媒体。
【発明の詳細な説明】
【米国特許法第１１９条に基づく優先権の主張】
【０００１】
[0001]  本願は、２０１２年８月３日に出願されて、この譲受人に譲渡された、「METHODS AND APPARATUS FOR REPORTING CHANNEL QUALITY INDICATOR (CQI)」と題する米国特許仮出願第６１／６７９，５１５号の優先権を主張するもので、参照により本明細書に明確に組み込まれる。
【技術分野】
【０００２】
[0002]  本開示の特定の態様は、一般に、無線通信に関する。
【背景技術】
【０００３】
[0003]  無線通信ネットワークは、音声、ビデオ、パケットデータ、メッセージング、ブロードキャスト、等の様々な通信サービスを提供するために広く展開されている。これら無線ネットワークは、利用可能なネットワークリソースを共有することによって多数のユーザをサポートできる多元接続ネットワークであり得る。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]  無線通信ネットワークは、多数のユーザ機器（ＵＥ）のために通信をサポートできる多数の基地局を含み得る。ＵＥは、ダウンリンクおよびアップリンクを介して基地局と通信し得る。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]  基地局は、ダウンリンクではデータおよび制御情報をＵＥに送信し、および／または、アップリンクではデータおよび制御情報をＵＥから受信し得る。ダウンリンクでは、基地局からの送信が、隣接基地局からの送信に起因する干渉を観察し得る。アップリンクでは、ＵＥからの送信が、隣接基地局と通信する他のＵＥからの送信に対して干渉を引き起こすことがある。干渉は、ダウンリンクおよびアップリンクの両方で性能を低下させるおそれがある。
【発明の概要】
【０００６】
[0006]  本開示の特定の態様は、ユーザ機器（ＵＥ）によって行われる無線通信のための方法を提供する。方法は、一般に、ＵＥによって使用される０本以上のアンテナからなる少なくとも第１のセットから０本以上のアンテナからなる少なくとも１つの第２のセットへの切替をスケジューリングすることと、ここにおいて、第１のセットと第２のセットとは少なくとも１本のアンテナが異なる、後続のチャネル品質インジケータ（ＣＱＩ）サブフレームセットにおいて基地局で使用するための、ＵＥから報告されるべきＣＱＩを、スケジューリングされた切替に基づいて決定することと、ＣＱＩを基地局に送信することとを含む。
【０００７】
[0007]  本開示の特定の態様は、ユーザ機器（ＵＥ）による無線通信のための装置を提供する。装置は、一般に、ＵＥによって使用される０本以上のアンテナからなる少なくとも第１のセットから０本以上のアンテナからなる少なくとも１つの第２のセットへの切替をスケジューリングするための手段と、ここにおいて、第１および第２のセットは、少なくとも１本のアンテナが異なる、後続のチャネル品質インジケータ（ＣＱＩ）サブフレームセットにおいて基地局で使用するための、ＵＥから報告されるべきＣＱＩを、スケジューリングされた切替に基づいて決定するための手段と、ＣＱＩを基地局に送信するための手段とを含む。
【０００８】
[0008]  本開示の特定の態様は、ユーザ機器（ＵＥ）による無線通信のための装置を提供する。装置は、一般に、少なくとも１つのプロセッサと、この少なくとも１つのプロセッサに結合されたメモリとを含む。少なくとも１つのプロセッサは、一般に、ＵＥによって使用される０本以上のアンテナからなる少なくとも第１のセットから０本以上のアンテナからなる少なくとも１つの第２のセットへの切替をスケジューリングし、ここにおいて、第１および第２のセットは少なくとも１本のアンテナが異なる、後続のチャネル品質インジケータ（ＣＱＩ）サブフレームセットにおいて基地局で使用するための、ＵＥから報告されるべきＣＱＩを、スケジューリングされた切替に基づいて決定し、ＣＱＩを基地局に送信するように構成される。
【０００９】
[0009]  本開示の特定の態様は、無線通信のためのコンピュータプログラム製品を提供する。コンピュータプログラム製品は、一般に、コンピュータ可読媒体を備え、このコンピュータ可読媒体は、ＵＥによって使用される０本以上のアンテナからなる少なくとも第１のセットから０本以上のアンテナからなる少なくとも１つの第２のセットへの切替をスケジューリングし、ここにおいて、第１および第２のセットは少なくとも１本のアンテナが異なる、後続のチャネル品質インジケータ（ＣＱＩ）サブフレームセットにおいて基地局で使用するための、ＵＥから報告されるべきＣＱＩを、スケジューリングされた切替に基づいて決定し、ＣＱＩを基地局に送信するためのコードを含む。
【００１０】
[0010]  本開示の様々な態様および特徴が、下記においてより詳細に説明される。
【図面の簡単な説明】
【００１１】
【図１】本開示の特定の態様に従って、無線通信ネットワークの例を概念的に例示するブロック図である。
【図２】本開示の特定の態様に従って、無線通信ネットワークにおけるフレーム構造の例を概念的に例示するブロック図である。
【図２Ａ】本開示の特定の態様に従って、ロングタームエボリューション（ＬＴＥ）におけるアップリンクのための例となるフォーマットを示す。
【図３】本開示の特定の態様に従って、無線通信ネットワーク内のユーザ機器デバイス（ＵＥ）と通信状態にあるノードＢの例を概念的に例示するブロック図を示す。
【図４】本開示の特定の態様に従って、ＬＴＥおよびＷＬＡＮカバレッジを含む例となる無線通信ネットワークを例示する。
【図５】本開示の特定の態様に従って、ＵＥでの典型的なアンテナ切替を例示する。
【図６】本開示の特定の態様に従って、保守的なＣＱＩ報告の例を例示する。
【図７】本開示の特定の態様に従って、ｅＮＢバックオフを補償するためにＣＱＩ報告を例示するプロットを示す。
【図８】本開示の特定の態様に従って、ＬＴＥおよびＷＬＡＮスループットの最小値を最大にすることを例示するプロットを示す。
【図９】本開示の特定の態様に従って、ＣＱＩを報告するための、ユーザ機器（ＵＥ）による動作を例示するロー図である。
【発明を実施するための形態】
【００１２】
詳細な説明
[0021]  本明細書で説明される技法は、ＣＤＭＡ、ＴＤＭＡ、ＦＤＭＡ、ＯＦＤＭＡ、ＳＣ−ＦＤＭＡのような様々な無線通信ネットワークおよび他のネットワークに対して使用され得る。「ネットワーク」および「システム」という用語は、交換して使用されることが多い。ＣＤＭＡネットワークは、ＵＴＲＡ（Universal Terrestrial Radio Access）、ｃｄｍａ２０００、等の無線技術を実現し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００規格、ＩＳ−９５規格、およびＩＳ−８５６規格をカバーする。ＴＤＭＡネットワークは、ＧＳＭ（登録商標）のような無線技術を実現し得る。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標）（Ｆｌａｓｈ−ＯＦＤＭ）、等の無線技術を実現し得る。ＵＴＲＡおよびＥ−ＵＴＲＡは、ＵＭＴＳ（Universal Mobile Telecommunication System）の一部である。３ＧＰＰ（登録商標）ロングタームエボリューション（ＬＴＥ（登録商標））およびＬＴＥアドバンスド（ＬＴＥ−Ａ）は、Ｅ−ＵＴＲＡを使用するＵＭＴＳの新たなリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ｃｄｍａ２０００およびＵＭＢは、「第３世代パートナーシッププロジェクト２（３ＧＰＰ２）」という名称の団体からの文書に記載されている。本明細書で説明される技法は、上述された無線ネットワークおよび無線技術に加え、他の無線ネットワークおよび無線技術に対して使用され得る。明瞭さのために、これら技法の特定の態様は、ＬＴＥに関して以下で説明され、ＬＴＥ専門用語が以下の説明の大部分で使用され得る。
【００１３】
例となる無線ネットワーク(Example Wireless Network)
[0022]  図１は、ＬＴＥネットワークであり得る無線通信ネットワーク１００を示す。無線ネットワーク１００は、多数の発展型ノードＢ（ｅＮＢ）１１０および他のネットワークエンティティを含み得る。ｅＮＢは、ユーザ機器デバイス（ＵＥ）と通信する局でよく、基地局、ノードＢ、アクセスポイント、等とも呼ばれ得る。各ｅＮＢ １１０は、特定の地理的エリアに対して通信カバレッジを提供し得る。「セル」という用語は、この用語が使用される文脈に依存して、ｅＮＢのカバレッジエリア、および／または、このカバレッジエリアにサービス提供するｅＮＢサブシステムを指し得る。
【００１４】
[0023]  ｅＮＢは、マクロセル、ピコセル、フェムトセル、および／または他のタイプのセルに対して通信カバレッジを提供し得る。マクロセルは、比較的大きな地理的エリア（例えば、半径数キロ）をカバーし、サービスに加入しているＵＥによる無制限アクセスをさせ得る。ピコセルは、比較的小さい地理的エリアをカバーし、サービスに加入しているＵＥによる無制限アクセスをさせ得る。フェムトセルは、比較的小さい地理的エリア（例えば、家）をカバーし、このフェムトセルと関連性のあるＵＥ（例えば、クローズド加入者グループ（ＣＳＧ）内のＵＥ、この家の中にいるユーザのＵＥ、等）による制限付きアクセスをさせ得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢと呼ばれ得る。図１に示される例では、ｅＮＢ １１０ａ、１１０ｂ、１１０ｃが、それぞれ、マクロセル１０２ａ、１０２ｂ、１０２ｃのためのマクロｅＮＢであり得る。ｅＮＢ １１０ｘは、ピコセル１０２ｘのためのピコｅＮＢであり得る。ｅＮＢ １１０ｙおよび１１０ｚは、それぞれ、フェムトセル１０２ｙおよび１０２ｚのためのフェムトｅＮＢであり得る。１つのｅＮＢが１つのセルまたは多数の（例えば、３つの）セルをサポートし得る。
【００１５】
[0024]  無線ネットワーク１００はまた、中継局を含み得る。中継局は、アップストリーム局（例えば、ｅＮＢまたはＵＥ）からデータおよび／またはその他の情報の伝送を受信し、ダウンストリーム局（例えば、ＵＥまたはｅＮＢ）にデータおよび／またはその他の情報の伝送を送る局である。中継局はまた、他のＵＥのための伝送を中継するＵＥであり得る。図１で示される例では、中継局１１０ｒが、ｅＮＢ １１０ａとＵＥ １２０ｒとの間の通信を容易にするために、ｅＮＢ １１０ａおよびＵＥ １２０ｒと通信し得る。中継局は、リレーｅＮＢ、リレー、等とも呼ばれ得る。
【００１６】
[0025]  無線ネットワーク１００は、異なるタイプのｅＮＢ、例えば、マクロｅＮＢ、ピコｅＮＢ、フェムトｅＮＢ、リレー、等を含む異種ネットワークであり得る。これら異なるタイプのｅＮＢは、無線ネットワーク１００において、異なる送信電力レベル、異なるカバレッジエリア、および干渉に対する異なる影響を有し得る。例えば、マクロｅＮＢは、高い送信電力レベル（例えば、２０ワット）を有するが、ピコｅＮＢ、フェムトｅＮＢ、およびリレーは、より低い送信電力レベル（例えば、１ワット）を有し得る。
【００１７】
[0026]  無線ネットワーク１００は、同期動作または非同期動作をサポートし得る。同期動作の場合、ｅＮＢは、同様のフレームタイミングを有し、異なるｅＮＢからの伝送は、時間的にほぼ揃えられ(aligned)得る。非同期動作の場合、ｅＮＢは、異なるフレームタイミングを有し、異なるｅＮＢからの伝送は、時間的に揃えられない可能性ある。本明細書で説明される技法は、同期動作および非同期動作の両方に使用され得る。
【００１８】
[0027]  ネットワークコントローラ１３０は、ｅＮＢのセットに結合し、これらｅＮＢ １１０に対して協調および制御を提供し得る。ネットワークコントローラ１３０は、バックホールを介してｅＮＢ １１０と通信し得る。ｅＮＢ １１０はまた、例えば、直接的に、または、無線バックホールまたは有線バックホールを介して間接的に互いに通信し得る。
【００１９】
[0028]  ＵＥ １２０は、無線ネットワーク１００全体にわたって分散しており、各ＵＥは定置式(stationary)または移動式(mobile)であり得る。ＵＥは、端末、モバイル局、加入者ユニット、局、等とも呼ばれ得る。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局、タブレット、等であり得る。ＵＥは、マクロｅＮＢ、ピコｅＮＢ、フェムトｅＮＢ、リレー、等と通信できる。図１において、両矢印付きの実線は、ＵＥと、ダウンリンクおよび／またはアップリンクでＵＥにサービス提供するように指定されたｅＮＢであるサービングｅＮＢとの間の所望の伝送を示す。両矢印付き破線は、ＵＥとｅＮＢとの間の干渉を引き起こす伝送を示す。
【００２０】
[0029]  ＬＴＥは、ダウンリンク上では直交周波数分割多重（ＯＦＤＭ）を利用し、アップリンク上では単一キャリア周波数分割多重（ＳＣ−ＦＤＭ）を利用する。ＯＦＤＭおよびＳＣ−ＦＤＭは、システム帯域幅を、通称トーン、ビン、等とも呼ばれる複数の（Ｋ個の）直交サブキャリアに区分する。各サブキャリアは、データで変調され得る。一般に、ＯＦＤＭでは周波数ドメインにおいて、ＳＣ−ＦＤＭでは時間ドメインにおいて、変調シンボルが送られる。隣接サブキャリア間の間隔は一定であり、サブキャリアの総数（Ｋ）は、このシステム帯域幅に依存し得る。例えば、Ｋは、１．４、３、５、１０、または２０メガヘルツ（ＭＨｚ）のシステム帯域幅に対してそれぞれ１２８、２５６、５１２、１０２４または２０４８に等しくてよい。システム帯域幅はまた、複数のサブバンドへ区分され得る。例えば、１つのサブバンドは１．０８ＭＨｚをカバーでき、１．４、３、５、１０、または２０ＭＨｚのシステム帯域幅に対してそれぞれ１、２、４、８、または１６個のサブバンドが存在し得る。
【００２１】
[0030]  図２は、ＬＴＥで使用されるフレーム構造を示す。ダウンリンクのための送信タイムラインは、無線フレームの単位に区分され得る。各無線フレームは、所定の持続時間（例えば、１０ミリ秒（ｍｓ））を有しており、０〜９のインデックスを有する１０個のサブフレームへ区分され得る。各サブフレームは２つのスロットを含み得る。このように、各無線サブフレームは、０〜１９のインデックスを有する２０個のスロットを含み得る。各スロットは、Ｌ個のシンボル期間、例えば、ノーマルサイクリックプリフィックスの場合にはＬ＝７個のシンボル期間を含む（図２に示されるように）か、または、拡張サイクリックプリフィックスの場合にはＬ＝６個のシンボル期間を含み得る。各サブフレーム内の２Ｌ個のシンボル期間は、０〜２Ｌ−１のインデックスが割り当てられ得る。利用可能な時間周波数リソースは、複数のリソースブロックへ区分され得る。各リソースブロックは、１スロット内のＮ個のサブキャリア（例えば、１２個のサブキャリア）をカバーし得る。
【００２２】
[0031]  ＬＴＥでは、ｅＮＢが、ｅＮＢ内の各セルについてのプライマリ同期信号（ＰＳＳ）およびセカンダリ同期信号（ＳＳＳ）を送り得る。プライマリ同期信号およびセカンダリ同期信号は、図２で示されるようなノーマルサイクリックプレフィックス（ＣＰ）の場合、各無線フレームのサブフレーム０および５の各々のシンボル期間６および５でそれぞれ送られ得る。これら同期信号は、セル検出および獲得のためにＵＥによって使用され得る。ｅＮＢは、サブフレーム０のスロット１内のシンボル期間０〜３において物理ブロードキャストチャネル（ＰＢＣＨ）を送り得る。ＰＢＣＨは、特定のシステム情報を搬送し得る。
【００２３】
[0032]  ｅＮＢは、図２に示されるように、各サブフレームの第１のシンボル期間に物理制御フォーマットインジケータチャネル（ＰＣＦＩＣＨ）を送り得る。ＰＣＦＩＣＨは、制御チャネルに使用されるシンボル期間の数（Ｍ）を伝達し得る。ここで、Ｍは、１、２、または３に等しく、サブフレームごとに変わり得る。Ｍはまた、例えば、１０個未満のリソースブロックを有する小さなシステム帯域幅の場合４に等しい。ｅＮＢは、各サブフレームの最初のＭ個のシンボル期間で、物理ＨＡＲＱインジケータチャネル（ＰＨＩＣＨ）および物理ダウンリンク制御チャネル（ＰＤＣＣＨ）を送り得る（図２には示されない）。ＰＨＩＣＨは、ハイブリッド自動再送要求（ＨＡＲＱ）をサポートするために情報を搬送し得る。ＰＤＣＣＨは、ＵＥに対するリソース割振りについての情報と、ダウンリンクチャネルのための制御情報とを搬送し得る。ｅＮＢは、各サブフレームの残りのシンボル期間で物理ダウンリンク共有チャネル（ＰＤＳＣＨ）を送り得る。ＰＤＳＣＨは、ダウンリンク上でのデータ伝送のためにスケジューリングされたＵＥのためのデータを搬送し得る。
【００２４】
[0033]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、ＰＣＦＩＣＨおよびＰＨＩＣＨをこれらチャネルが送られる各シンボル期間にシステム帯域幅全体にわたって送り得る。ｅＮＢは、システム帯域幅の特定の部分で、ＵＥのグループにＰＤＣＣＨを送り得る。ｅＮＢは、システム帯域幅の特定の部分で、特定のＵＥにＰＤＳＣＨを送り得る。ｅＮＢは、ＰＳＳ、ＳＳＳ、ＰＢＣＨ、ＰＣＦＩＣＨ、およびＰＨＩＣＨをブロードキャスト方式で全てのＵＥに送り、ＰＤＣＣＨをユニキャスト方式で特定のＵＥに送り、ＰＤＳＣＨをユニキャスト方式で特定のＵＥに送り得る。
【００２５】
[0034]  多数のリソースエレメントが各シンボル期間で利用可能であり得る。各リソースエレメント（ＲＥ）は、１つのシンボル期間に１つのサブキャリアをカバーし、実数値または複素数値であり得る１つの変調シンボルを送るために使用され得る。各シンボル期間において基準信号のために使用されないリソースエレメントは、リソースエレメントグループ（ＲＥＧ）へと分類（arrange）され得る。各ＲＥＧは、１つのシンボル期間に４つのリソースエレメントを含み得る。ＰＣＦＩＣＨは、シンボル期間０において、周波数にわたってほぼ均等に間隔があけられ得る４つのＲＥＧを占有し得る。ＰＨＩＣＨは、１つ以上の設定可能なシンボル期間内において、周波数にわたって拡散され得る３つのＲＥＧを占有し得る。例えば、ＰＨＩＣＨのための３つのＲＥＧは全て、シンボル期間０にあるか、シンボル期間０、１および２に拡散され得る。ＰＤＣＣＨは、利用可能なＲＥＧから選択され得る９、１８、３２、または６４個のＲＥＧを最初のＭ個のシンボル期間に占有し得る。ＲＥＧの特定の組み合わせのみが、ＰＤＣＣＨに対して許可され得る。
【００２６】
[0035]  ＵＥは、ＰＨＩＣＨおよびＰＣＦＩＣＨに使用される特定のＲＥＧを知り得る。ＵＥは、ＰＤＣＣＨに対するＲＥＧの異なる組み合わせを探索し得る。探索すべき組み合わせの数は、ＰＤＣＣＨに対して許可される組み合わせの数よりも通常少ない。ｅＮＢは、ＵＥが探索することとなる組み合わせのいずれかでＵＥにＰＤＣＣＨを送り得る。
【００２７】
[0036]  図２Ａは、ＬＴＥにおけるアップリンクのための例示的なフォーマット２００Ａを示す。アップリンクに対して利用可能なリソースブロックは、データ部と制御部とに区分され得る。制御部は、システム帯域幅の両端に形成され、設定可能なサイズを有し得る。制御部のリソースブロックは、制御情報の送信のためにＵＥに割り当てられ得る。データ部は、制御部に含まれない全てのリソースブロックを含み得る。図２Ａの設計は、連続的なサブキャリアを含むデータ部に帰着し、それは、単一のＵＥに、データ部内の全ての連続的なサブキャリアが割り当てられることを可能にし得る。
【００２８】
[0037]  ＵＥには、制御情報をｅＮＢに送信するために制御部のリソースブロックが割り当てられ得る。ＵＥはまた、ノードＢにデータを送信するために、データ部内のリソースブロックが割り当てられ得る。ＵＥは、制御部の割り当てられたリソースブロック上の物理アップリンク制御チャネル（ＰＵＣＣＨ）２１０ａ、２１０ｂで制御情報を送信し得る。ＵＥは、データ部の割り当てられたリソースブロック上の物理アップリンク共有チャネル（ＰＵＳＣＨ）２２０ａ、２２０ｂで、データを、またはデータと制御情報の両方を送信し得る。アップリンク送信は、図２Ａに示されるように、サブフレームの両方のスロットにまたがり、周波数にわたってホッピングし得る。
【００２９】
[0038]  １つのＵＥが多数のｅＮＢのカバレッジ内に存在し得る。ＵＥにサービス提供するために、これらｅＮＢのうちの１つが選択され得る。サービングｅＮＢは、受信電力、パス損失、信号対雑音比（ＳＮＲ）、等の様々な基準に基づいて選択され得る。
【００３０】
[0039]  ＵＥは、そのＵＥが干渉を引き起こす１つ以上のｅＮＢからの高い干渉を観測し得る支配的な干渉シナリオにおいて動作し得る。支配的な干渉シナリオが、制限付きの関連付けによって生じ得る。例えば、図１において、ＵＥ １２０ｙは、フェムトｅＮＢ １１０ｙに近く、そのｅＮＢ １１０ｙについて高い受信電力を有し得る。しかしながら、ＵＥ １２０ｙは、制限付きの関連付けによりフェムトｅＮＢ １１０ｙにアクセスできないことがあるため、より低い受信電力を有するマクロｅＮＢ １１０ｃ（図１に示されるような）に、または、同様により低い受信電力を有するフェムトｅＮＢ １１０ｚ（図１には示されない）に接続し得る。次に、ＵＥ １２０ｙは、ダウンリンクではフェムトｅＮＢ １１０ｙからの高い干渉を観測し、アップリンクではｅＮＢ １１０ｙに対して高い干渉を引き起こし得る。
【００３１】
[0040]  支配的な干渉シナリオはまた、ＵＥによって検出された全てのｅＮＢのうち、より低いパス損失とより低いＳＮＲとを有するｅＮＢにＵＥが接続するシナリオである範囲拡張により生じる。例えば、図１では、ＵＥ １２０ｘが、マクロｅＮＢ １１０ｂとピコｅＮＢ １１０ｘとを検出し、ｅＮＢ １１０ｂよりもｅＮＢ １１０ｘについて低い受信電力を有し得る。とはいえ、ｅＮＢ １１０ｘに対するパス損失がマクロｅＮＢ １１０ｂに対するパス損失よりも低い場合には、ピコｅＮＢ １０ｘに接続することがＵＥ １２０ｘにとって望ましいことがある。これにより、ＵＥ １２０ｘの所与のデータレートについて、無線ネットワークへの干渉が少なくなり得る。
【００３２】
[0041]  ある態様では、支配的な干渉シナリオでの通信が、異なるｅＮＢを異なる周波数帯域上で動作させることによってサポートされ得る。周波数帯域は、通信に使用され得る周波数の範囲であり、（ｉ）中心周波数および帯域幅、または（ｉｉ）より低い周波数およびより高い周波数によって求められ得る。周波数帯域は、帯域、周波数チャネル、等とも呼ばれ得る。強いｅＮＢがそれのＵＥと通信することを可能にしながら、支配的な干渉シナリオにおいてＵＥがより弱いｅＮＢと通信できるように異なるｅＮＢのための周波数帯域が選択され得る。ｅＮＢは、ＵＥにおいて受信されるｅＮＢからの信号の相対受信電力に基づいて（そして、ｅＮＢの送信電力レベルには基づかずに）「弱い」ｅＮＢまたは「強い」ｅＮＢに分類され得る。
【００３３】
[0042]  図３は、図１における複数の基地局／ｅＮＢのうちの１つと複数のＵＥのうちの１つとであり得る基地局またはｅＮＢ １１０およびＵＥ １２０の設計のブロック図を示す。制限付きの関連付けシナリオでは、ｅＮＢ １１０が、図１のマクロｅＮＢ １１０ｃであり、ＵＥ １２０はＵＥ １２０ｙであり得る。ｅＮＢ １１０はまた、何らかの他のタイプの基地局であり得る。ｅＮＢ １１０にはＴ本のアンテナ３３４ａ〜３３４ｔが備わっており、ＵＥ １２０にはＲ本のアンテナ３５２ａ〜３５２ｒが備わっており、ここで、一般に、Ｔ≧１およびＲ≧１である。
【００３４】
[0043]  ｅＮＢ １１０では、送信プロセッサ３２０が、データソース３１２からデータを受信し、コントローラ／プロセッサ３４０から制御情報を受信する。この制御情報は、ＰＢＣＨ、ＰＣＦＩＣＨ、ＰＨＩＣＨ、ＰＤＣＣＨ、等についてのものあり得る。データは、ＰＤＳＣＨ、等についてのものであり得る。送信プロセッサ３２０は、これらデータおよび制御情報を処理（例えば、符号化およびシンボルマッピング）して、それぞれデータシンボルおよび制御シンボルを取得し得る。送信プロセッサ３２０はまた、例えば、ＰＳＳ、ＳＳＳ、およびセル固有基準信号のための基準シンボルを生成し得る。送信（ＴＸ）多入力多出力（ＭＩＭＯ）プロセッサ３３０は、適用可能であれば、データシンボル、制御シンボル、および／または基準シンボルに対して空間処理（例えば、プリコーディング）を行い、Ｔ個の出力シンボルストリームをＴ個の変調器（ＭＯＤ）３３２ａ〜３３２ｔに供給し得る。各変調器３３２は該当の出力シンボルストリーム（例えば、ＯＦＤＭ、等のための）を処理して、出力サンプルストリームを取得し得る。各変調器３３２は、この出力サンプルストリームをさらに処理（例えば、アナログ変換、増幅、フィルタリング、およびアップコンバート）して、ダウンリンク信号を取得し得る。変調器３３２ａ〜３３２ｔからのＴ個のダウンリンク信号はそれぞれ、Ｔ本のアンテナ３３４ａ〜３３４ｔを介して送信され得る。
【００３５】
[0044]  ＵＥ １２０において、アンテナ３５２ａ〜３５２ｒは、ｅＮＢ １１０からのダウンリンク信号を受信し、受信された信号を、復調器（ＤＥＭＯＤ）３５４ａ〜３５４ｒにそれぞれ供給し得る。各復調器３５４は、該当の受信信号を調整（例えば、フィルタリング、増幅、ダウンコンバート、およびデジタル化）して、入力サンプルを取得し得る。各復調器３５４は、これら入力サンプル（例えば、ＯＦＤＭ、等のための）をさらに処理して、受信シンボルを取得し得る。ＭＩＭＯ検出器３５６は、Ｒ個全ての復調器３５４ａ〜３５４ｒからの受信シンボルを取得し、適用可能であれば、これらの受信シンボルに対してＭＩＭＯ検出を行い、検出されたシンボルを供給し得る。受信プロセッサ３５８は、検出されたシンボルを処理（例えば、復調、デインタリーブ、および復号）して、ＵＥ １２０のための復号されたデータをデータシンク３６０に供給し、復号された制御情報をコントローラ／プロセッサ３８０に供給し得る。
【００３６】
[0045]  アップリンクでは、ＵＥ １２０において、送信プロセッサ３６４が、データソース３６２からデータ（例えば、ＰＵＳＣＨのための）を、および、コントローラ／プロセッサ３８０から制御情報（例えば、ＰＵＣＣＨのための）を受信して処理し得る。送信プロセッサ３６４はまた、基準信号のための基準シンボルを生成し得る。送信プロセッサ３６４からのシンボルは、適用可能であれば、ＴＸ ＭＩＭＯプロセッサ３６６によってプリコーディングされ、変調器３５４ａ〜３５４ｒ（例えば、ＳＣ−ＦＤＭ、等のための）によってさらに処理され、ｅＮＢ １１０に送信され得る。ｅＮＢ １１０において、ＵＥ １２０からのアップリンク信号はアンテナ３３４によって受信され、復調器３３２によって処理され、適用可能であればＭＩＭＯ検出器３３６によって検出され、受信プロセッサ３３８によってさらに処理され、ＵＥ １２０によって送られた復号済みのデータおよび制御情報が取得され得る。受信プロセッサ３３８は、復号済みのデータをデータシンク３３９に、復号済みの制御情報をコントローラ／プロセッサ３４０に供給し得る。
【００３７】
[0046]  コントローラ／プロセッサ３４０および３８０はそれぞれｅＮＢ １１０およびＵＥ １２０での動作を命じ得る。コントローラ／プロセッサ３８０および／またはＵＥ １２０の他のプロセッサとモジュールは、図９の動作９００および／または本明細書で説明される技法のための他のプロセスを行うか命じ得る。メモリ３４２および３８２はそれぞれ、基地局１１０およびＵＥ １２０のためのデータおよびプログラムコードを記憶し得る。スケジューラ３４４は、ダウンリンクおよび／またはアップリンクでのデータ伝送のためにＵＥをスケジューリングし得る。
【００３８】
チャネル品質インジケータ（ＣＱＩ）を報告するための例となる方法および装置(EXAMPLE METHODS AND APPARATUS FOR REPORTING CHANNEL QUALITY INDICATOR (CQI))
[0047]  広域ネットワーク（ＷＡＮ）（例えば、ＬＴＥ、高速パケット接続（ＨＳＰＡ）、ＥＶＤＯ（Evolution-Data Optimized）、等）と無線ローカルエリアネットワーク（ＷＬＡＮ）／Ｗｉ−Ｆｉ（例えば、８０２．１１ｂ／ｇ／ｎ）の両方の無線ネットワークをサポートするデバイスでは、一方がアイドル状態であるときに、もう一方の無線ネットワークによってアンテナが再使用され得る。本明細書で検討される使用ケースは、両方の無線ネットワークが、長期間アクティブである（すなわち、ＬＴＥおよびＷＬＡＮの両方が他のデバイス／ｅＮＢ、等に関連付けられている）が、これらの無線ネットワークのうちの１つが短いインターバルの間アイドルモードになることを強いられる場合である。例えば、ＬＴＥおよびＷＬＡＮネットワークの両方をサポートするデバイスのアンテナは、これらの無線ネットワークの間で共有され得る。デバイスの各アンテナは、ＬＴＥまたはＷＬＡＮに対して使用されることがある。特定の態様では、デバイスのアンテナが、例えば、これらのネットワークのスループットに基づいて、２つの無線ネットワークに動的に割り当てられ得る。例えば、ＷＬＡＮカバレッジがＬＴＥカバレッジよりも強いエリアでは、ＷＬＡＮスループットが、ＬＴＥスループットよりも高い。そのようなシナリオでは、ＷＬＡＮが、短いインターバルの間アイドル状態（例えば、Ｗｉ−Ｆｉアクティビティがいずれもスケジューリングされていない場合）になることが強いられ、ＷＬＡＮアンテナは、ＬＴＥ送信／受信を改善するために、ＬＴＥでの使用に転用され得る。これは、例えば、ＬＴＥおよびＷＬＡＮスループットを概ね等しくするために、または、２つのスループットの最小値を最大にすること等、特定の基準を満たすために行われ得る。そのような基準は、例えば、バックホールのためにＬＴＥを、アクセスリンクのためにＷＬＡＮを使用する無線中継器にとって有益であり得る。ある態様では、Ｗｉ−ＦｉリンクがＬＴＥリンクよりも優れている場合、デューティサイクルは、Ｗｉ−ＦｉスループットとバックホールＬＴＥスループットとを等しくするように強要または調整され得る。例えば、アンテナのとあるセットは、ＬＴＥに対してのみ使用され、アンテナの別のセットは、Ｗｉ−ＦｉとＬＴＥとの間で共有され得る（例えば、Ｗｉ−Ｆｉに対して５０％のデューティサイクル、ＬＴＥに対して残り）。
【００３９】
[0048]  図４は、本開示の特定の態様に従って、ＬＴＥおよびＷＬＡＮカバレッジを含む例となる無線通信ネットワーク４００を例示する。無線通信ネットワーク４００は、ＷＡＮカバレッジ４１０（例えば、ＬＴＥ）を１つ以上のデバイスに提供するマクロセルｅＮＢ ４１２を含む。ネットワーク４００はまた、ＷＬＡＮカバレッジ４２０をデバイス４２４ａ、ｂ、およびｃに提供するＷＬＡＮアクセスポイント（ＡＰ）４２２を含み得る。ある態様では、デバイス４２４が、携帯電話、スマートフォン、ラップトップ、ゲーミングデバイス、等のモバイルデバイスを含み得る。ある態様では、デバイス４２４が、ＬＴＥ ｅＮＢ ４１２およびＷＬＡＮ ＡＰ ４２２の両方と通信する能力があるＬＴＥ ＵＥを含み得る。ある態様では、ＷＬＡＮ ＡＰ ４２２が、ｅＮＢ ４１２によって提供される１つ以上のサービスへのアクセスを、デバイス４２４に提供し得る。例えば、ＡＰ ４２２は、バックホールのためにＬＴＥネットワーク４１０を、デバイス４２４へのアクセスのためにＷＬＡＮネットワーク４２０を使用し得る。ＡＰ ４２２は、通信リンク４０２（例えば、バックホールリンク）を介してＬＴＥ ｅＮＢ ４１２と通信し、ＷＬＡＮリンク４２６を介してデバイス４２４にＬＴＥサービスを提供し得る。例えば、ＡＰ ４２２は、ｅＮＢ ４１２からブロードバンドインターネットサービスを受信し、ＭｉＦｉデバイスに接続された最大で５台のデバイス４２４へのインターネット接続を利用可能にするＭｉＦｉ無線ルータ（Ｗｉ−Ｆｉホットスポット）であり得る。特定の態様では、デバイス４２４のうちの１つ以上が、ＷＬＡＮ ＡＰとして機能し、１つ以上の他のデバイスにＬＴＥサービスへのアクセスを提供し得る。ある態様で、ＷＬＡＮ ＡＰ ４２２は、ＬＴＥ ｅＮＢ ４１２に、ＬＴＥ ＵＥとして見え得る。よって、参照番号４２２は、ＷＬＡＮ ＡＰおよびＵＥ（それぞれｅＮＢ ４１２の観点から）を指すために、区別なく使用されるであろう。
【００４０】
[0049]  特定の態様では、ＡＰ ４２２の各アンテナおよびアンテナのセットが、ＬＴＥまたＷＬＡＮを使用した通信に使用され得る。上述されたように、ＷＬＡＮネットワーク４２０は特定の時間インターバルの間アイドル状態に強いられることになり、ＷＬＡＮ通信に使用されている１本以上のアンテナまたはアンテナのセットがこれらインターバルの間ＬＴＥでの使用に転用され得る。ある態様では、ＡＰ ４２２のアンテナの第１セットがＬＴＥ通信に対してのみ使用され、アンテナの第２のセットがＷＡＮとＷＬＡＮとの間で切り替えられ得る。特定の態様では、ＷＬＡＮが既にアイドル状態であるかまたは必要とされない場合、アンテナの任意のセットがＬＴＥに対して使用され得る。
【００４１】
[0050]  特定の態様では、ＷＬＡＮとＷＡＮとの間でアンテナまたはアンテナのセットの切替が頻繁であるならば、ｅＮＢ ４１２からの通信を受信するためにＵＥ ４２２によって現在採用されている受信アンテナの数についてのリアルタイム知見(real-time knowledge)をｅＮＢ ４１２が有さない場合には、追加のアンテナによる潜在的なスループット利得が実現されないことがある。一般に、各ＵＥは、ＬＴＥ通信に使用される受信アンテナ現在のセットに基づいて、チャネル品質を示すチャネル品質インジケータ（ＣＱＩ）を周期的に報告する。ｅＮＢは、受信されたＣＱＩ報告に基づいて、リソース（例えば、変調およびコード化スキーム（ＭＣＳ））をスケジューリングする。しかしながら、典型的に、ＵＥがＣＱＩを報告してから、報告されたＣＱＩに基づいてレートを変更するためにこの報告されたＣＱＩがｅＮＢで利用可能となるまでの間に遅延が引き起こされる。ＵＥがＣＱＩを報告してからＣＱＩがｅＮＢで使用可能になるまでの間のこの遅延は、通常、フィードバック遅延と呼ばれる。このように、特定の態様では、ｅＮＢ ４１２が、その送信レートを、ＵＥ ４２２において、変更されたアンテナセットに適応させるまでに（in time）適応させることができないことがある。例えば、ｅＮＢ ４１２は、追加のアンテナが利用可能な場合により少ない数の受信アンテナに対応するレートで送信する可能性があり、これは、これらのレートを使用するサブフレームでのより乏しいスループットに帰着する。代替的に、ｅＮＢ ４１２は、より少ない数の受信アンテナが利用可能な場合により大きい数の受信アンテナに対応するレートで送信する可能性があり、これは、パケット失敗トリガリング再送信に帰着する。
【００４２】
[0051]  図５は、本開示の特定の態様に従って、ＵＥでの典型的なアンテナ切替を例示する。ｘ軸は時間を表し、ｙ軸は特定の時刻（time instant）にＵＥ（例えば、ＵＥ ４２２）によって使用される受信アンテナの数（アンテナ構成）を表す。例えば、ＵＥは、時刻ｔ１とｔ４との間で３本の受信アンテナ（３Ｒｘ）を使用し、時刻ｔ４とｔ７との間で２本の受信アンテナ（２Ｒｘ）を使用し、ｔ７とｔ１０との間で再度３Ｒｘを使用する。ＵＥは、ＣＱＩ周期性５０２でＣＱＩ報告を送信する。例えば、ＵＥは、ＣＱＩ報告ｎをｔ２で送信し、ＣＱＩ報告ｎ＋１をｔ５で送信し、ＣＱＩ報告ｎ＋２をｔ８で送信する。さらに、この例では、時間ｔでのＣＱＩ報告が、時間ｔで使用されている受信アンテナの数に等しい受信アンテナの数でのＣＱＩ報告に対応し得る。図５に示されるように、ＵＥがＣＱＩを報告してから、報告されたＣＱＩがｅＮＢ（例えば、ｅＮＢ ４２２）で使用可能になるまでの間にフィードバック遅延５０４が存在する。フィードバック遅延は、ｅＮＢへの送信時間、ｅＮＢでの復号時間、およびＣＱＩに基づいて送信レートをマッピングするための時間を含み得る。示されるように、ｔ２でＵＥによって送信されたＣＱＩ報告ｎはｅＮＢでｔ３に利用可能となり、ｔ５で送信されたＣＱＩ報告ｎ＋１はｅＮＢでｔ６に利用可能となり、ｔ８で送信されたＣＱＩ報告ｎ＋２はｅＮＢでｔ９に利用可能となる。このように、ｅＮＢは、ｔ３からｔ６までの間ＣＱＩ報告ｎを使用し、ｔ６からｔ９までの間ＣＱＩ報告ｎ＋１を使用し、ｔ９以降はＣＱＩ報告ｎ＋２を使用する。ある態様では、このフィードバック遅延により、次のＣＱＩ報告がｅＮＢで利用可能となるまでに、ＵＥがこのインターバルの間にアンテナを切り替えていることがあるが、ｅＮＢが、最後に受信されたＣＱＩに対応するレートでデータを送信し続け得る。例えば、ＵＥはｔ４で２Ｒｘアンテナに切り替えているが、ｅＮＢは、ｔ３からｔ６までの間３Ｒｘレートで送信し続け得る。２Ｒｘアンテナに基づいたＣＱＩ報告ｎ＋１が使用可能となるｔ６以降にのみ、ｅＮＢは、２Ｒｘレートで送信を始めることができる。
【００４３】
[0052]  特定の態様では、ＣＱＩサブフレームセットが、各ＣＱＩ報告に対応して、このＣＱＩ報告が使用されているサブフレームを含むものと定義され得る。ある態様では、サブフレームセットの長さが、ＣＱＩ報告がｅＮＢによって使用されるべき時間の長さに対応し得る。例えば、図５は、ＣＱＩ報告ｎに対応するサブフレームセット５０６を示し、サブフレームセット５０６の長さは、ＣＱＩ報告ｎがｅＮＢで使用可能である時刻ｔ３からｔ６までの時間の長さに等しい。ある態様では、ＵＥがＣＱＩを報告してからｅＮＢがそれを使用するまでの間のフィードバック遅延に基づいて、ＵＥがＣＱＩサブフレームセットを構成する。ある態様では、ＵＥが、フィードバック遅延の量を知らない可能性があり、過去のＣＱＩ報告と、ｅＮＢによってスケジューリングされたＭＣＳとを比較することでそれを決定し得る。例えば、ＵＥが２つのまったく異なるＣＱＩを報告する場合、それは、ｅＮＢからの送信のためのＭＣＳがいつ（例えば、どのサブフレームで）大幅に変化するかをモニタイリングすることによって、フィードバック遅延を決定し得る。代替的に、ＵＥは、単に、フィードバック遅延についての一定値を想定し得る。
【００４４】
[0053]  特定の態様では、ＵＥによる受信に使用されるアンテナまたはアンテナのセットが、ＣＱＩサブフレームセットの長さ内で変化し得る。例えば、図５に示されるように、ＵＥは、ｔ３からｔ４までの間３Ｒｘアンテナを使用し、ｔ４からｔ６までの間２Ｒｘアンテナを使用する。特定の態様では、ＵＥによって報告されるＣＱＩが、ＣＱＩサブフレームセットの長さの間使用されることとなる各アンテナセットのＣＱＩと、アンテナセットが使用されることとなるサブフレームセット内のサブフレームの数との関数として選ばれる。例えば、ＵＥが、特定のＣＱＩサブフレームセットのＮ１個のサブフレームについて２Ｒｘアンテナを使用することとなり、Ｎ２個のサブフレームについて３Ｒｘを使用することとなる場合、そのＣＱＩサブフレームセットのインターバルの間の使用のために、ＵＥはＮ１／Ｎ２が（設定可能）閾値よりも大きい場合に２Ｒｘ ＣＱＩを報告し、ＵＥはＮ１／Ｎ２が閾値以下の場合に３Ｒｘ ＣＱＩを報告し得る。ある態様では、ＵＥが、フィードバック遅延に基づいて、各サブフレームについて使用されているＣＱＩを決定し得る。
【００４５】
[0054]  特定の態様では、ＵＥが、現在から、次のＣＱＩ報告がｅＮＢで利用可能となるまでの間使用されるべき最小のＣＱＩ値を全てのアンテナセットの中から選択し得る。例えば、ＣＱＩ報告において、ＵＥは、対応ＣＱＩサブフレームセットの全てのサブフレームで見受けられることが期待されるＣＱＩの最小値を報告し得る。ある態様では、最小のＣＱＩを選択することが、ｅＮＢ送信レートとＵＥ受信能力との間のレート不整合に起因するブロック誤差を回避する。
【００４６】
[0055]  図６は、本開示の特定の態様に従って、保守的な(conservative)ＣＱＩ報告の例を例示する。ｘ軸は時間を表し、ｙ軸は、特定の時刻にＵＥ（例えば、ＵＥ ４２２）によって使用される受信アンテナの数を表す。示されるように、ＵＥは、２Ｒｘアンテナまたは４Ｒｘアンテナを使用し得る。図６に示される例となるシナリオは、２ｍｓのＣＱＩ報告周期性および４ｍｓのＣＱＩフィードバック遅延を想定する。従って、ＵＥは、１つのＣＱＩ報告を２ｍｓおきに送信し、各ＣＱＩ報告は、それがＵＥによって送信されてから４ｍｓ後にｅＮＢで利用可能となる。例えば、ｔ１でＵＥによって送信された２Ｒｘ ＣＱＩは、ｔ３において、４ｍｓのフィードバック遅延の後にｅＮＢで使用可能となり、ｅＮＢはそれを、ｔ２で送信された次の４Ｒｘ ＣＱＩ報告が使用可能となるｔ４まで送信に使用し得る。
【００４７】
[0056]  特定の態様では、ＵＥが、ＣＱＩ報告を保守的に選択し得る。例えば、上述されたように、ＵＥは、現在から、次のＣＱＩ報告がｅＮＢで使用可能となるまでの間使用されるべきＣＱＩ値の最小値を全てのアンテナセットの中から選択し得る。例えば、図６を参照すると、時刻ｔ３からｔ４までの間、ＵＥは、２Ｒｘおよび４Ｒｘの両方の受信アンテナを使用する。保守的なアプローチに続いて、ＵＥは、ｔ３とｔ４との間で使用するためのアンテナの最小数に対応するＣＱＩ、すなわち、２Ｒｘ ＣＱＩ、を選択し得る。示されるように、時間ｔ１では、ＵＥが、ｔ３とｔ４との間で使用するための２Ｒｘ ＣＱＩを報告する。同様に、ＵＥは、ｔ７−ｔ８、ｔ１１−ｔ１２、およびｔ１４−ｔ１５の間で２Ｒｘと４Ｒｘの両方のアンテナを使用するようにスケジューリングされる。示されるように、ＵＥは、保守的なアプローチに続いて、これらのインターバルの間使用するための２Ｒｘ ＣＱＩを、ｔ５、ｔ９、およびｔ１２でそれぞれ報告する。
【００４８】
[0057]  特定の態様では、ＵＥが、現在から、次のＣＱＩ報告がｅＮＢで使用可能となるまでの間使用されるべきＣＱＩ値の最大値を全てのアンテナセットの中から選択し得る。これは、ＵＥがより多くの数のアンテナを使用して受信するときに送信されるようにスケジューリングされたサブフレーム上で、ｅＮＢがより高いレートで送信し得るため、より良いスループットを提供し得る。しかしながら、ＵＥがより少ない数のアンテナで受信しているときに送信されたサブフレームに対処するために、再送信／ＨＡＲＱパラメータは、ｅＮＢ側とＵＥ側の両方で十分に最適化されるべきである。
【００４９】
[0058]  特定の態様では、ＵＥによって報告されたＣＱＩが、トラフィックのサービス品質（ＱＯＳ）に同調され得る。ある態様では、ＵＥが、トラフィックが遅延および／または誤差に対して寛容でない場合、より保守的なＣＱＩを報告し得る。他方で、ＵＥは、遅延および／または誤差が一要因ではない場合、より一層積極的なＣＱＩを報告し得る。例えば、トラフィックがビデオである（低い待ち時間値(low latency)が必要とされる）場合、ブロック誤差および再送信が高いコストを招くことがあるため、ＣＱＩ報告はより保守的であり得る。
【００５０】
[0059]  特定の態様では、何れかのアンテナセットのＣＱＩが、ＵＥによって現在のチャネル推定値を使用して計算されないことがある場合、ＵＥは、このアンテナセットに対応する、以前に計算され記憶されているＣＱＩ値を報告し得る。ある態様で、これは、ＵＥが、各アンテナセット（例えば、アンテナセット｛１｝、｛１，２｝、｛２，３｝、等）に対応する最後に計算されたＣＱＩ値をメモリに記憶することを必要とし得る。例えば、図６を参照すると、ＵＥは時刻ｔ２およびｔ３に４Ｒｘ ＣＱＩを報告する。というのも、これらの報告がそれぞれｔ４−ｔ５およびｔ５−ｔ６の間にｅＮＢで使用可能となるときにＵＥが４Ｒｘアンテナを使用するようにスケジューリングされているためである。しかしながら、ＵＥは、ｔ２およびｔ４で２Ｒｘアンテナを使用している。従って、ＵＥは、ｔ２およびｔ３では、４Ｒｘアンテナに対応するチャネルを推定できないことがある。ゆえに、ＵＥは、以前に計算されメモリに記憶されている４Ｒｘ ＣＱＩを使用し得る。ＵＥが、代わりとして、アンテナのチャネル推定値を記憶し、記憶されたものと現在のチャネル推定値との組み合わせを使用し得ることに留意されたい。
【００５１】
[0060]  特定の態様では、ＣＱＩが計算され記憶されてからチャネルが大幅に変化した場合に、記憶されているＣＱＩが関連性のないことがある。記憶されているＣＱＩの関連性は、例えば、ＵＥについてのドップラ推定値に基づいて決定され得る。ある態様では、記憶されているＣＱＩが、低ドップラユースケース(use-case)に対してのみ関連性がある。ＣＱＩ記憶ブロックは、追加的に、記憶されているＣＱＩが現在のＣＱＩの代わりとして使用され得るかどうかを推測するためのタイマを含み得る。代替的な態様では、ＵＥが、より上の個数(higher number)のアンテナ（例えば、４Ｒｘアンテナ）に対応するＣＱＩへと近づけるために、より下の個数(lower number)のアンテナ（例えば、２Ｒｘアンテナ）に対応するＣＱＩに追加の値を加え得る。別の代替的な態様では、ＵＥが、４Ｒｘを使用しているときに４Ｒｘおよび２Ｒｘの両方に対応するＣＱＩを計算し、２Ｒｘしか使用されておらず４Ｒｘ ＣＱＩが必要とされる場合に２つのＣＱＩの差分を２Ｒｘ ＣＱＩに加え得る。
【００５２】
[0061]  特定の態様では、ｅＮＢで使用可能な最後のＣＱＩ報告が現在のＵＥ受信能力よりも高い場合、ｅＮＢ外部ループが、ＵＥからのＮＡＣＫに起因して、バックオフをｅＮＢ送信レートに適用することにつながるブロック誤差が存在し得る。しかしながら、このバックオフは、ＵＥの真の（true）受信能力を示す新しいＣＱＩ報告（現在の数のＵＥ受信アンテナに対応する）がｅＮＢで使用可能となった後にｅＮＢ送信レートを害し（hurt）得る。
【００５３】
[0062]  図７は、本開示の特定の態様に従って、ｅＮＢバックオフを補償するためにＣＱＩ報告を例示するプロット７００を示す。ｘ軸は時間を表し、プロット７１０および７５０は、それぞれ、ｅＮＢ送信レートと、ＵＥで使用されるアンテナの数とをその時間に対応して表す。図７で示されるように、ＵＥは、時刻ｔ２まで４Ｒｘアンテナを使用し、ｔ２で２Ｒｘアンテナに切り替える。４Ｒｘ ＣＱＩ報告は、ｔ１にｅＮＢで使用可能となり、２Ｒｘ報告はｔ４までｅＮＢで使用可能ではない。従って、ｅＮＢは、ｔ２からｔ４までの間４Ｒｘレートで送信し続けるが、ＵＥは、このインターバルの間に２Ｒｘアンテナに切り替える。上述されたように、これは、ＵＥでのブロック誤差をもたらし得る。例えば、ｔ２から開始するｅＮＢ送信について、ｅＮＢは、ＡＣＫ遅延７１２の後のｔ３でＵＥからのＮＡＣＫを受信し始め得る。ＵＥからのＮＡＣＫの受信に応答して、ｅＮＢは、ｔ３で、バックオフ７１４（受信された各ＮＡＣＫに対して特定のバックオフ）を適用し始め得る。しかしながら、ひとたび２Ｒｘ ＣＱＩがｔ４にｅＮＢにおいて使用可能となると、ｅＮＢは、２Ｒｘレートで送信し始めるが、バックオフ７１４を適用し続け得る。従って、ｅＮＢは、最後には、スループットに影響を及ぼす、２Ｒｘレートよりもかなり低いレート７１６で送信することになる。
【００５４】
[0063]  特定の態様では、ｅＮＢが適用し続けるバックオフをオフセット（すなわち補償）するために、ＵＥが、より良いものからより悪いアンテナ構成に切り替わる際に、計算されたものよりも高いＣＱＩを報告し得る。図７を参照すると、ＵＥは、ｔ４以降に使用するために、２Ｒｘ ＣＱＩよりも高いＣＱＩを報告し得る。これは、ｅＮＢに、２Ｒｘレートにより一層近いレート７１８で送信させ得る。ある態様では、バックオフの値が、時間とともに（切替後の最初のＣＱＩ報告から開始して）低下することが見込まれ得る（allow）。適用されたバックオフはまた、ＵＥにおける異なる受信アンテナモードのために、ｅＮＢでの平均バックオフの差分を考慮に入れ得る。
【００５５】
[0064]  同様に、ＵＥは、より悪いものからより良いアンテナ構成に切り替わる際、計算されたものよりも低いＣＱＩを報告し得る。
【００５６】
[0065]  特定の態様では、上述されたより賢明な(smarter)ＣＱＩ報告をもってしても、報告されたＣＱＩが大幅に異なるＵＥ受信構成に対してｅＮＢ送信レートを設定するために使用される場合、依然としてＣＱＩの報告に曖昧さが存在し得る。例えば、現在から、次のＣＱＩがｅＮＢで使用可能となるまでの間に、ＵＥが、均等に１０個のサブフレームの間２Ｒｘおよび４Ｒｘモードになる場合、ＣＱＩ報告の値は１つとして、インターバル全体に最適でないことがある。ある態様では、そのような曖昧さを回避するために、ｅＮＢでの各ＣＱＩ報告期間内に、ＵＥが１つのアンテナ構成だけを使用するように、ＷＡＮとＷＬＡＮとの間でのアンテナ切替が揃えられ得る。より長い時間スケールにわたって、アンテナ切替パターンもまた、上述された揃えることの制約(aligning constraint)に加えてデューティサイクル要件（例えば、Ｗｉ−Ｆｉおよび／またはＬＴＥのデューティサイクル）を満たすように設計され得る。例えば、ＣＱＩ報告インターバルが２０ｍｓであり、必要とされるデューティサイクルが８０％である場合、ＣＱＩ報告インスタンスと揃える８０ｍｓ／２０ｍｓの切替期間が選択され得る。
【００５７】
アンテナ適応を用いたアンテナ／デューティサイクル選択(ANTENNA/DUTY CYCLE SELECTION WITH ANTENNA ADAPTATION)
[0066]  特定の態様では、何らかの適切な基準を最適化するために、最適なアンテナセットの中からアンテナセットおよびデューティサイクルが選択され得る。アンテナセット選択についての例は、例えば、２つのアンテナがＬＴＥに対して割り振られ、１つがＷＬＡＮに対して割り振られるべき３Ｒｘシステムを有する場合、これらのアンテナは、以下の３つの方法で区分化され得る−（１）ＬＴＥに対して｛１，２｝、ＷＬＡＮに対して｛３｝、（２）ＬＴＥに対して｛１，３｝、ＷＬＡＮに対して｛２｝、および（３）ＬＴＥに対して｛２，３｝、ＷＬＡＮに対して｛１｝。ある態様では、性能がこれら３つのケースで異なり、ＵＥが、最良の性能基準を有する１つを選び得る。ある態様では、適切な基準が、ＬＴＥおよびＷＬＡＮスループットの合計を最大にすること、または、２つのスループットの最小値を最大にすること（ＭｉＦｉユースケースに関連した）を含み得る。
【００５８】
[0067]  図８は、本開示の特定の態様に従って、ＬＴＥおよびＷＬＡＮスループットの最小値を最大にすることを例示するプロット８００を示す。プロット８００のｘ軸はＷＬＡＮスループットを表し、プロットのｙ軸はＬＴＥスループットを表す。図８の例となるシナリオは、２つのスループットの最小値が最大にされるようにＬＴＥとＷＬＡＮとの間で共有される必要のある２Ｒｘアンテナ（ｒｘ１およびｒｘ２）を想定する。ｙ軸上の点８０２は、両方のアンテナがＬＴＥに使用されることを表し、点８０４は、両方のアンテナがＷＬＡＮに使用されることを表す。点８０６および８０８は、ＬＴＥおよびＷＬＡＮにそれぞれ１本のアンテナを使用することを表す。線８２０は、線８２０上の任意の点が、ＬＴＥおよびＷＬＡＮに対して同等なスループットを生じさせるような４５度の線を表す。線８３０は、異なるアンテナ構成間での時間共有、すなわち、デューティサイクルを表し、それは、点８０２（ＬＴＥに対して両方のアンテナ）を線の一端に、点８０８（ＬＴＥおよびＷＬＡＮに対してそれぞれ１本のアンテナ）を線の他端に有する。点８５０は、ＬＴＥおよびＷＬＡＮスループットの最小値を最大にするためのアンテナセットおよびデューティサイクルの最適な選択を表す。
【００５９】
[0068]  特定の態様では、アンテナおよびデューティサイクル選択がまた、送信／受信されたパケットの性質を考慮し得る。例えば、ＷＬＡＮは、ビーコンと管理パケットだけを送信する際、または、期待する際のいずれかの場合に１本のアンテナだけを割り振り得るが、データトラフィックを受信／期待する場合に２本以上のアンテナを割り振り得る。
【００６０】
[0069]  特定の態様では、アンテナおよびデューティサイクル選択を行うために、ＬＴＥとＷＬＡＮの両方が、フルチャネル推定値、すなわち、全てのアンテナで、を知る必要がある。ある態様において、ＬＴＥスループット低下を回避するために、ＤＬグラントが検出されない所にＬＴＥダウンリンクサブフレームがスケジューリングされる場合、ＷＬＡＮチャネル測定が行われ得る。例えば、ＵＥは、典型的に、最初の数個のＯＦＤＭシンボルで送信されるＰＤＣＣＨを復号し、特定のＬＴＥダウンリンクサブフレームの間にＤＬグラントがスケジューリングされているかどうかを決定し得る。ＵＥがＤＬグラントを検出しない場合、ＬＴＥダウンリンクサブフレームのインターバルの間、ＷＬＡＮチャネル測定を行うためにＬＴＥアンテナを転用(divert)し、次のＬＴＥサブフレームが開始する前にこれらアンテナをＬＴＥに戻し得る。
【００６１】
[0070]  図９は、本開示の特定の態様に従って、ＣＱＩを報告するための、ユーザ機器（ＵＥ）による動作９００を例示するフロー図である。動作９００は、ＵＥによって使用される０本以上のアンテナからなる少なくとも第１のセットから、０本以上のアンテナからなる少なくとも１つの第２のセットへの切替をスケジューリングすることによって、９０２で開始し、ここにおいて、第１および第２のセットは、少なくとも１本のアンテナが異なる。９０４において、ＵＥから報告されるべきＣＱＩは、スケジューリングされた切替に基づいて、後続のＣＱＩサブフレームセットにおいて基地局で使用するために決定され得る。９０６において、ＣＱＩは、基地局に送信され得る。
【００６２】
[0071]  特定の態様では、０本以上のアンテナからなる第１のセットが、第１の無線アクセス技術（ＲＡＴ）での通信のためにＵＥによって使用され、第２のセットは、当初第２のＲＡＴでの通信向けに構成されている、第１のＲＡＴのための少なくとも１本の追加のアンテナを備える。代替的な態様では、アンテナの第２のセットが、アンテナの第１のセットよりも１本以上少ない数のアンテナを含み得る。
【００６３】
[0072]  特定の態様では、ＵＥが、報告されたＣＱＩに対応するＣＱＩサブフレームセットを定義でき、ここで、そのＣＱＩサブフレームセットの長さが基地局でのＣＱＩ受信インターバルに対応する。ある態様では、基地局でのＣＱＩ受信インターバルは、ＵＥから２つの連続したＣＱＩ報告を受信する間の時間期間である。
【００６４】
[0073]  特定の態様では、ＣＱＩサブフレームセットが、ＵＥからＣＱＩが送信されてから、基地局がこのＣＱＩに基づいて送信レートを調節するまでの間のフィードバック時間遅延に基づいて定義される。ある態様では、フィードバック時間遅延が、基地局への送信時間、基地局でＣＱＩを復号するための時間、および、基地局でこのＣＱＩに基づいてレートを調節するための時間を含み得る。ある態様では、ＵＥが、フィードバック時間遅延を、ＣＱＩの送信の時間と、基地局からの受信されたデータのＭＣＳが大幅に変化した時間とに基づいて決定し得る。ある態様では、ＵＥが、一定の定数をフィードバック遅延に対して使用し得る。
【００６５】
[0074]  特定の態様では、ＵＥから報告されるべきＣＱＩが、ＣＱＩサブフレームセットの間使用される各アンテナセットについてのＣＱＩと、アンテナセットが使用されるＣＱＩサブフレームセット内のサブフレームの数との関数として決定され得る。ある態様では、ＣＱＩが、１本以上のアンテナからなる第１のセットを使用するＣＱＩサブフレームセット内のサブフレームの数と、１本以上のアンテナからなる第２のセットを使用するサブフレームの数との間の比が設定可能な閾値よりも大きい場合、１本以上のアンテナからなる第１のセットに関連付けられたＣＱＩ値を含み得る。ある態様では、ＣＱＩが、１本以上のアンテナからなる第１のセットを使用するＣＱＩサブフレームセット内のサブフレームの数と、１本以上のアンテナからなる第２のセットを使用するサブフレームの数との間の比が設定可能な閾値よりも小さい場合、１本以上のアンテナからなる第２のセットに関連付けられたＣＱＩを含み得る。ある態様では、ＣＱＩが、ＵＥと基地局との間のトラフィックのサービス品質（ＱＯＳ）の関数として決定され得る。
【００６６】
[0075]  特定の態様では、ＵＥから報告されるべきＣＱＩが、ＣＱＩサブフレームセットの間使用される各アンテナセットについてのＣＱＩの最小値であり得る。特定の態様では、ＵＥから報告されるべきＣＱＩが、ＣＱＩサブフレームセットの間使用される各アンテナセットについてのＣＱＩの最大値であり得る。特定の態様では、ＵＥから報告されるべきＣＱＩが、ＣＱＩサブフレームセットの間使用される各アンテナセットについてのＣＱＩの平均値であり得る。
【００６７】
[0076]  特定の態様では、ＣＱＩが、以前のＣＱＩ決定からの記憶されたＣＱＩ値を含み得る。代替的な態様では、ＣＱＩが、以前のＣＱＩ決定からの記憶されたＣＱＩ値およびオフセットを含み得る。
【００６８】
[0077]  特定の態様では、ＵＥが、ＣＱＩを決定する間のＵＥにおけるアクティブな受信アンテナの数がＣＱＩを決定するのに必要とされるものとは異なる場合、アンテナのサブセットについての記憶されているチャネル推定値または記憶されているＣＱＩのうちの少なくとも１つを使用し得る。特定の態様では、ＵＥが、ＣＱＩを決定する間のＵＥにおけるアクティブな受信アンテナが、ＣＱＩが決定されることとなるアンテナサブセットを備える場合、現在のチャネル推定値または現在のＣＱＩのうちの少なくとも１つを使用し得る。
【００６９】
[0078]  特定の態様では、ＵＥが、基地局で適用されるバックオフを補償するようにＣＱＩを調整し得る。ある態様では、少なくとも１つのセット内のアンテナの数が１本以上のアンテナからなる少なくとも１つの異なるセットのものよりも少ない場合、ＵＥがＣＱＩをより高いＣＱＩ値へと調整し得る。ある態様では、少なくとも１つのセット内のアンテナの数が１本以上のアンテナからなる少なくとも１つの異なるセットのものよりも多い場合、ＵＥがＣＱＩをより低いＣＱＩ値へと調整し得る。
【００７０】
[0079]  特定の態様では、ＵＥが、全体性能を最適化するために、ＣＱＩ報告期間またはＣＱＩサブフレームセットのうちの少なくとも１つと揃うようにアンテナの切替をスケジューリングし得る。ある態様では、ＣＱＩサブフレームセットの間、ＵＥが１本以上のアンテナからなる１つのセットしか使用しないように、ＵＥがアンテナの切替をスケジューリングし得る。
【００７１】
[0080]  特定の態様では、第１の無線アクセス技術（ＲＡＴ）での通信のためにＵＥによって使用される１本以上のアンテナからなる少なくとも１つのセットの切替が、当初第２のＲＡＴでの通信向けに構成されている１本以上の追加のアンテナを第１のＲＡＴに対して使用することを含み得る。ある態様では、第１のＲＡＴがＬＴＥを含み、第２のＲＡＴはＷＬＡＮを含み得る。ある態様では、ＵＥが、特定の基準を最適化するために、デューティサイクルと併せて、ＵＥにおける１本以上のアンテナからなる少なくとも１つの異なるセットを選択し得る。ある態様では、基準が、第１および第２のＲＡＴについてスループットの最小値を最大にすることを含み得る。ある態様では、基準が、第１および第２のＲＡＴについてスループットの合計を最大にすることを含み得る。
【００７２】
[0081]  特定の態様では、特定のＲＡＴに割り振られたアンテナセットが、ＲＡＴのトラフィックのタイプに部分的に基づき得る。特定の態様では、ロングタームエボリューション（ＬＴＥ）に使用されているアンテナについての第２のＲＡＴに対する測定が、物理ダウンリンク制御チャネル（ＰＤＣＣＨ）がひとつも復号されないサブフレームの物理ダウンリンク共有チャネル（ＰＤＳＣＨ）部分で行われ得る。
【００７３】
[0082]  前述された方法の様々な動作は、対応する機能を行うことが可能な任意の適切な手段によって行われ得る。これらの手段は、回路、特定用途向け集積回路（ＡＳＩＣ）、またはプロセッサを含むがこれらに限定されない、様々なハードウェアおよび／またはソフトウェアのコンポーネントおよび／またはモジュールを含み得る。例えば、送信するための手段または送るための手段は、図３に描かれたＵＥ １２０の送信機、変調器３５４、および／またはアンテナ３５２、あるいは、図３に示されたｅＮＢ １１０の送信機、変調器３３２、および／またはアンテナ３３４を備え得る。受信するための手段は、図３に描かれたＵＥ １２０の受信機、復調器３５４、および／またはアンテナ３５２、あるいは、図３に示されたｅＮＢ １１０の受信機、復調器３３２、および／またはアンテナ３３４を備え得る。処理するための手段、決定するための手段、定義するための手段、スケジューリングするための手段、調整するための手段、サンプリングするための手段、および／または除去するための手段は、図３に例示されているｅＮＢ １１０の送信プロセッサ３２０、受信プロセッサ３３８、またはコントローラ／プロセッサ３４０、あるいは、ＵＥ １２０の受信プロセッサ３５８、送信プロセッサ３６４、またはコントローラ／プロセッサ３８０のような少なくとも１つのプロセッサを含み得る処理システムを備え得る。
【００７４】
[0083]  当業者は、情報および信号が、多種多様な技術および技法のいずれかを使用して表され得ることを理解するであろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００７５】
[0084]  当業者はさらに、本明細書の開示に関連して説明された様々な実例となる論理ブロック、モジュール、回路、およびアルゴリズムのステップが、電子ハードウェア、コンピュータソフトウェア、または両者の組み合わせとして実現され得ることを認識するであろう。ハードウェアとソフトウェアとのこの互換性を明確に例示するために、様々な実例となるコンポーネント、ブロック、モジュール、回路、およびステップが、それらの機能の観点で一般に上述されている。そのような機能がハードウェアとして実現されるかソフトウェアとして実現されるかは、特定のアプリケーションおよびシステム全体に課された設計の制約に依存する。当業者は、説明された機能を、特定のアプリケーションごとに様々な方法で実現できるが、そのような実現の決定は、本開示の有効範囲（scope）からの逸脱を引き起こすものとして解釈されるべきではない。
【００７６】
[0085]  本明細書の開示と関連して説明された様々な実例となる論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書で説明された機能を行うよう設計されたこれらの任意の組み合わせで実現または行われ得る。汎用プロセッサは、マイクロプロセッサであり得るが、代替的に、このプロセッサは、任意の従来のプロセッサ、コントローラ、マイクロコントローラ、またはステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つ以上のマイクロプロセッサ、またはその他のそのような構成との組み合わせとして実現され得る。
【００７７】
[0086]  本明細書の開示に関連して説明されたアルゴリズムまたは方法のステップは、ハードウェアで直接的に、プロセッサによって実行されるソフトウェアモジュールで、または両者の組み合わせで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られているその他の形態の記憶媒体に存在し得る。例示的な記憶媒体は、プロセッサがこの記憶媒体から情報を読み出すこと、および／または、この記憶媒体に情報を書き込むことができるようにプロセッサに結合される。代替的に、記憶媒体は、プロセッサに一体化され得る。プロセッサおよび記憶媒体は、ＡＳＩＣ内に存在し得る。ＡＳＩＣは、ユーザ端末内に存在し得る。代替的に、プロセッサおよび記憶媒体は、ディスクリートコンポーネントとしてユーザ端末内に存在し得る。
【００７８】
[0087]  １つ以上の例示的な設計では、説明された機能が、ハードウェア、ソフトウェア、ファームウェア、またはこれらの任意の組み合わせで実現され得る。ソフトウェアで実現される場合、機能は、コンピュータ可読媒体上の１つ以上の命令またはコードとして、記憶または送信されることができる。コンピュータ可読媒体は、コンピュータ記憶媒体と、ある箇所から別の箇所へのコンピュータプログラム移送を容易にする任意の媒体を含む通信媒体との両方を含む。記憶媒体は、汎用コンピュータまたは専用コンピュータによりアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備え得る。また、任意の接続は、コンピュータ可読媒体と厳密には称され得る。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のような無線技術を使用して送信される場合、同軸ケーブル、光ファイバーケーブル、ツイストペア、ＤＳＬ、または赤外線、無線、およびマイクロ波のような無線技術は媒体の定義に含まれる。本明細書で使用される場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、ディスク（ｄｉｓｋ）は、通常磁気的にデータを再生し、ディスク（ｄｉｓｃ）は、レーザーを用いて光学的にデータを再生する。上記の組み合わせもまた、コンピュータ可読媒体の有効範囲内に含まれるべきである。
【００７９】
[0088]  本開示の先の説明は、当業者が本開示を為すまたは使用することを可能にするために提供される。本開示に対する様々な変更は、当業者には容易に明らかであり、本明細書で定義された包括的な原理は、本開示の精神または有効範囲から逸脱することなく他の変形に適用され得る。従って、本開示は、本明細書で説明された例および設計に限定されることを意図しておらず、本明細書で開示された原理および新規な特徴と合致する最も広い有効範囲が与えられるべきである。
以下に、本願の出願当初の特許請求の範囲に記載された発明を付記する。
[Ｃ１]
ユーザ機器（ＵＥ）による無線通信の方法であって、
前記ＵＥによって使用される０本以上のアンテナからなる少なくとも第１のセットから、０本以上のアンテナからなる少なくとも１つの第２のセットへの切替をスケジューリングすることと、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定することと、
前記ＣＱＩを前記基地局に送信することと
を備える方法。
[Ｃ２]
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成されている前記第１のＲＡＴのための少なくとも１本の追加のアンテナを備える、Ｃ１に記載の方法。
[Ｃ３]
前記第２のセットは、前記第１のセットよりも１本以上少ない数のアンテナを備える、Ｃ１に記載の方法。
[Ｃ４]
前記報告されたＣＱＩに対応する前記ＣＱＩサブフレームセットを定義することをさらに備え、前記ＣＱＩサブフレームセットの長さは、前記基地局でのＣＱＩ受信インターバルに対応する、Ｃ１に記載の方法。
[Ｃ５]
前記基地局での前記ＣＱＩ受信インターバルは、前記ＵＥから２つの連続したＣＱＩ報告を受信する間の時間期間である、Ｃ４に記載の方法。
[Ｃ６]
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、Ｃ１に記載の方法。
[Ｃ７]
前記フィードバック時間遅延は、前記基地局への送信時間、前記基地局で前記ＣＱＩを復号するための時間、および、前記基地局で前記ＣＱＩに基づいてレートを調節するための時間を備える、Ｃ６に記載の方法。
[Ｃ８]
前記ＵＥは、前記フィードバック時間遅延を、前記ＣＱＩの送信の時間と、前記基地局から受信されたデータの変調およびコード化スキーム（ＭＣＳ）が大幅に変化した時間とに基づいて決定する、Ｃ６に記載の方法。
[Ｃ９]
前記ＵＥは、前記フィードバック遅延に対して一定の定数を使用する、Ｃ６に記載の方法。
[Ｃ１０]
前記ＵＥから報告されるべき前記ＣＱＩは、前記ＣＱＩサブフレームセットの間使用される各アンテナセットについてのＣＱＩと、前記アンテナセットが使用される前記ＣＱＩサブフレームセット内のサブフレームの数との関数として決定される、Ｃ１に記載の方法。
[Ｃ１１]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、Ｃ１０に記載の方法。
[Ｃ１２]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、Ｃ１０に記載の方法。
[Ｃ１３]
前記ＵＥから報告されるべき前記ＣＱＩは、前記ＣＱＩサブフレームセットの間使用される各アンテナセットについてのＣＱＩの最小値である、Ｃ１に記載の方法。
[Ｃ１４]
前記ＵＥから報告されるべき前記ＣＱＩは、前記ＣＱＩサブフレームセットの間使用される各アンテナセットについてのＣＱＩの最大値である、Ｃ１に記載の方法。
[Ｃ１５]
前記ＵＥから報告されるべき前記ＣＱＩは、前記ＣＱＩサブフレームセットの間使用される各アンテナセットについてのＣＱＩの平均値である、Ｃ１に記載の方法。
[Ｃ１６]
前記ＣＱＩは、前記ＵＥと前記基地局との間のトラフィックのサービス品質（ＱＯＳ）の関数として決定される、Ｃ１に記載の方法。
[Ｃ１７]
前記ＣＱＩは、以前のＣＱＩ決定からの記憶されたＣＱＩ値を備える、Ｃ１に記載の方法。
[Ｃ１８]
前記ＣＱＩは、以前のＣＱＩ決定からの記憶されたＣＱＩ値およびオフセットを備える、Ｃ１に記載の方法。
[Ｃ１９]
前記ＵＥは、前記ＣＱＩを決定する間の前記ＵＥにおけるアクティブな受信アンテナの数が前記ＣＱＩを決定するのに必要とされるものとは異なる場合、アンテナのサブセットのための、記憶されたチャネル推定値または記憶されたＣＱＩのうちの少なくとも１つを使用する、Ｃ１に記載の方法。
[Ｃ２０]
前記ＵＥは、前記ＣＱＩを決定する間の前記ＵＥのアクティブな受信アンテナが、前記ＣＱＩが決定されることとなるアンテナサブセットを備える場合、現在のチャネル推定値または現在のＣＱＩのうちの少なくとも１つを使用する、Ｃ１に記載の方法。
[Ｃ２１]
前記基地局で適用されるバックオフを補償するために前記ＣＱＩを調整することをさらに備える、Ｃ１に記載の方法。
[Ｃ２２]
前記ＣＱＩを調整することは、
前記第１のセット内のアンテナの数が前記０本以上のアンテナからなる少なくとも１つの第２のセットのものよりも少ない場合、前記ＣＱＩをより高いＣＱＩ値へと調整することを備える、Ｃ２１に記載の方法。
[Ｃ２３]
前記ＣＱＩを調整することは、
前記第１のセット内のアンテナの数が前記０本以上のアンテナからなる少なくとも１つの第２のセットのものよりも多い場合、前記ＣＱＩをより低いＣＱＩ値へと調整することを備える、Ｃ２１に記載の方法。
[Ｃ２４]
性能全体を最適化するために、ＣＱＩ報告期間またはＣＱＩサブフレームセットのうちの少なくとも１つと揃うように、前記アンテナの前記切替をスケジューリングすることをさらに備える、Ｃ１に記載の方法。
[Ｃ２５]
前記ＵＥが、前記ＣＱＩサブフレームセットの間、１本以上のアンテナからなる１つのセットだけを使用するように、前記アンテナの前記切替をスケジューリングすることをさらに備える、Ｃ１に記載の方法。
[Ｃ２６]
前記第１のＲＡＴは、ロングタームエボリューション（ＬＴＥ）を備える、Ｃ２に記載の方法。
[Ｃ２７]
前記第２のＲＡＴは、無線ローカルエリアネットワーク（ＷＬＡＮ）を備える、Ｃ２６に記載の方法。
[Ｃ２８]
特定の基準を最適化するために、デューティサイクルと併せて、前記ＵＥにおける前記０本以上のアンテナからなる少なくとも１つの第２のセットを選択することをさらに備える、Ｃ１に記載の方法。
[Ｃ２９]
前記基準は、少なくとも第１および第２の無線アクセス技術（ＲＡＴ）についてスループットの最小値を最大にすることを備える、Ｃ２８に記載の方法。
[Ｃ３０]
前記基準は、少なくとも第１および第２の無線アクセス技術（ＲＡＴ）についてスループットの合計を最大にすることを備える、Ｃ２８に記載の方法。
[Ｃ３１]
特定のＲＡＴに割り振られたアンテナセットは、前記ＲＡＴのトラフィックのタイプに部分的に基づく、Ｃ１に記載の方法。
[Ｃ３２]
ロングタームエボリューション（ＬＴＥ）に使用されているアンテナについての前記第２のＲＡＴに対する測定は、物理ダウンリンク制御チャネル（ＰＤＣＣＨ）がひとつも復号されないサブフレームの物理ダウンリンク共有チャネル（ＰＤＳＣＨ）部分で実行される、Ｃ２に記載の方法。
[Ｃ３３]
ユーザ機器（ＵＥ）による無線通信の装置であって、
前記ＵＥによって使用される０本以上のアンテナからなる少なくとも第１のセットから０本以上のアンテナからなる少なくとも１つの第２のセットへの切替をスケジューリングするための手段と、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定するための手段と、
前記ＣＱＩを前記基地局に送信するための手段と
を備える装置。
[Ｃ３４]
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成されている前記第１のＲＡＴのための少なくとも１本の追加のアンテナを備える、Ｃ３３に記載の装置。
[Ｃ３５]
前記第２のセットは、前記第１のセットよりも１本以上少ない数のアンテナを備える、Ｃ３３に記載の装置。
[Ｃ３６]
前記報告されたＣＱＩに対応する前記ＣＱＩサブフレームセットを定義するための手段をさらに備え、前記ＣＱＩサブフレームセットの長さは、前記基地局でのＣＱＩ受信インターバルに対応する、Ｃ３３に記載の装置。
[Ｃ３７]
前記基地局での前記ＣＱＩ受信インターバルは、前記ＵＥから２つの連続したＣＱＩ報告を受信する間の時間期間である、Ｃ３６に記載の装置。
[Ｃ３８]
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、Ｃ３３に記載の装置。
[Ｃ３９]
前記フィードバック時間遅延は、前記基地局への送信時間、前記基地局で前記ＣＱＩを復号するための時間、および前記基地局で前記ＣＱＩに基づいてレートを調節するための時間を備える、Ｃ３８に記載の装置。
[Ｃ４０]
前記ＵＥは、前記フィードバック時間遅延を、前記ＣＱＩの送信の時間と、前記基地局から受信されたデータの変調およびコード化スキーム（ＭＣＳ）が大幅に変化した時間とに基づいて決定する、Ｃ３８に記載の装置。
[Ｃ４１]
前記ＵＥは、前記フィードバック遅延に対して一定の定数を使用する、Ｃ３８に記載の装置。
[Ｃ４２]
前記ＵＥから報告されるべき前記ＣＱＩは、前記ＣＱＩサブフレームセットの間使用される各アンテナセットについてのＣＱＩと、前記アンテナセットが使用される前記ＣＱＩサブフレームセット内のサブフレームの数との関数として決定される、Ｃ３３に記載の装置。
[Ｃ４３]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、Ｃ４２に記載の装置。
[Ｃ４４]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、Ｃ４２に記載の装置。
[Ｃ４５]
前記ＵＥから報告されるべき前記ＣＱＩは、前記ＣＱＩサブフレームセットの間使用される各アンテナセットについてのＣＱＩの最小値である、Ｃ３３に記載の装置。
[Ｃ４６]
前記ＵＥから報告されるべき前記ＣＱＩは、前記ＣＱＩサブフレームセットの間使用される各アンテナセットについてのＣＱＩの最大値である、Ｃ３３に記載の装置。
[Ｃ４７]
前記ＵＥから報告されるべき前記ＣＱＩは、前記ＣＱＩサブフレームセットの間使用される各アンテナセットについてのＣＱＩの平均値である、Ｃ３３に記載の装置。
[Ｃ４８]
前記ＣＱＩは、前記ＵＥと前記基地局との間のトラフィックのサービス品質（ＱＯＳ）の関数として決定される、Ｃ３３に記載の装置。
[Ｃ４９]
前記ＣＱＩは、以前のＣＱＩ決定からの記憶されたＣＱＩ値を備える、Ｃ３３に記載の装置。
[Ｃ５０]
前記ＣＱＩは、以前のＣＱＩ決定からの記憶されたＣＱＩ値およびオフセットを備える、Ｃ３３に記載の装置。
[Ｃ５１]
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、Ｃ３３に記載の装置。
[Ｃ５２]
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、Ｃ３３に記載の装置。
[Ｃ５３]
前記基地局で適用されるバックオフを補償するために前記ＣＱＩを調整するための手段
をさらに備える、Ｃ３３に記載の装置。
[Ｃ５４]
前記ＣＱＩを調整するための手段は、
前記第１のセット内のアンテナの数が前記０本以上のアンテナからなる少なくとも１つの第２のセットのものよりも少ない場合、前記ＣＱＩをより高いＣＱＩ値へと調整する  ように構成される、Ｃ５３に記載の装置。
[Ｃ５５]
前記ＣＱＩを調整するための手段は、
前記第１のセット内のアンテナの数が前記０本以上のアンテナからなる少なくとも１つの第２のセットのものよりも多い場合、前記ＣＱＩをより低いＣＱＩ値へと調整するように構成される、Ｃ５３に記載の装置。
[Ｃ５６]
性能全体を最適化するために、ＣＱＩ報告期間またはＣＱＩサブフレームセットのうちの少なくとも１つと揃うように前記アンテナの前記切替をスケジューリングするための手段をさらに備える、Ｃ３３に記載の装置。
[Ｃ５７]
前記ＵＥが、前記ＣＱＩサブフレームセットの間、１本以上のアンテナからなる１つのセットだけを使用するように、前記アンテナの前記切替をスケジューリングすることをさらに備える、Ｃ３３に記載の装置。
[Ｃ５８]
前記第１のＲＡＴは、ロングタームエボリューション（ＬＴＥ）を備える、Ｃ３４に記載の装置。
[Ｃ５９]
前記第２のＲＡＴは、無線ローカルエリアネットワーク（ＷＬＡＮ）を備える、Ｃ５８に記載の装置。
[Ｃ６０]
特定の基準を最適化するために、デューティサイクルと併せて、前記ＵＥにおける前記０本以上のアンテナからなる少なくとも１つの第２のセットを選択するための手段をさらに備える、Ｃ３３に記載の装置。
[Ｃ６１]
前記基準は、少なくとも第１および第２の無線アクセス技術（ＲＡＴ）についてのスループットの最小値を最大にすることを備える、Ｃ６０に記載の装置。
[Ｃ６２]
前記基準は、少なくとも第１および第２の無線アクセス技術（ＲＡＴ）についてのスループットの合計を最大にすることを備える、Ｃ６０に記載の装置。
[Ｃ６３]
特定のＲＡＴに割り振られたアンテナセットは、前記ＲＡＴのトラフィックのタイプに部分的に基づく、Ｃ３３に記載の装置。
[Ｃ６４]
ロングタームエボリューション（ＬＴＥ）に使用されているアンテナについての前記第２のＲＡＴに対する測定は、物理ダウンリンク制御チャネル（ＰＤＣＣＨ）がひとつも復号されないサブフレームの物理ダウンリンク共有チャネル（ＰＤＳＣＨ）部分で行われる、Ｃ３４に記載の装置。
[Ｃ６５]
ユーザ機器（ＵＥ）による無線通信の装置であって、
前記ＵＥによって使用される０本以上のアンテナからなる少なくとも第１のセットから０本以上のアンテナからなる少なくとも１つの第２のセットへの切替をスケジューリングすることと、ここにおいて、前記第１および第２のセットは、少なくとも１本のアンテナが異なる、
後続のチャネル品質インジケータ（ＣＱＩ）サブフレームセットにおける基地局での使用のために、前記ＵＥから報告されるべきＣＱＩを、前記スケジューリングされた切替に基づいて決定することと、
前記ＣＱＩを前記基地局に送信することと
を行うように構成された少なくとも１つのプロセッサと、
前記少なくとも１つのプロセッサに結合されたメモリと
を備える装置。
[Ｃ６６]
ユーザ機器（ＵＥ）による無線通信のためのコンピュータプログラム製品であって、
コンピュータ可読媒体を備え、前記コンピュータ可読媒体は、
前記ＵＥによって使用される０本以上のアンテナからなる少なくとも第１のセットから０本以上のアンテナからなる少なくとも１つの第２のセットへの切替をスケジューリングし、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定し、
前記ＣＱＩを前記基地局に送信するためのコードを備える、コンピュータプログラム製品。
【図１】
0006419697.tif 000002
【図２】
0006419697.tif 000003
【図２Ａ】
0006419697.tif 000004
【図３】
0006419697.tif 000005
【図４】
0006419697.tif 000006
【図５】
0006419697.tif 000007
【図６】
0006419697.tif 000008
【図７】
0006419697.tif 000009
【図８】
0006419697.tif 000010
【図９】
0006419697.tif 000011